(57)【要約】      （修正有）【課題】編組み装置と当該編組み装置を用いて作成される履物物品を提供する。【解決手段】物品１００は、外部編組み構造１２０と内部編組み構造１４０とを有する２層編組みアッパー組立て体１０２を含む。外部編組み構造１２０は異なる編組みパターンを有する領域を含む。例えば前足部１０４とかかと部１０８のいくつかの部分は、非ジャカード編組みパターンを含み、いくつかの中足部１０６は、ジャカード編組みパターンを含む。この配置によって、アッパー組立て体１０２は、外部編組み構造１２０の異なる部分で変化する物性を有してよい。内部編組み構造１４０は非ジャカード編組みパターンを含み、均一且つ一定の編組み構造とする。２層アッパー組立て体は、糸巻き枠の多数輪を有する編組み装置を用いて製造可能である。【選択図】図１
2020116409.tif 000002
【特許請求の範囲】
【請求項１】
履物物品用のアッパー組立て体において、
外部編組み構造と内部編組み構造とを含み、
前記外部編組み構造はジャカード編組みパターンを有する第１の部分を含み、前記内部
編組み構造は非ジャカード編組みパターンを有する第２の部分を含む、アッパー組立て体
。
【請求項２】
請求項１に記載のアッパー組立て体において、前記外部編組み構造は前足部、中足部及
びかかと部を有する連続的な編組み構造を含む、アッパー組立て体。
【請求項３】
請求項１に記載のアッパー組立て体において、前記内部編組み構造は前足部、中足部及
びかかと部を有する連続的な編組み構造を含む、アッパー組立て体。
【請求項４】
請求項２に記載のアッパー組立て体において、前記前足部は非ジャカード編組みパター
ンを有する部分を含み、前記中足部はジャカード編組みパターンを有する部分を含み、前
記かかと部は前記非ジャカード編組みパターンを有する部分を含む、アッパー組立て体。
【請求項５】
請求項３に記載のアッパー組立て体において、前記前足部と前記中足部と前記かかと部
との全ては、非ジャカード編組みパターンを有する部分を含む、アッパー組立て体。
【請求項６】
請求項１に記載のアッパー組立て体において、前記ジャカード編組みパターンは不均一
な大きさの開口を有し、前記非ジャカード編組みパターンは均一な大きさの開口を有する
、アッパー組立て体。
【請求項７】
請求項１に記載のアッパー組立て体において、前記ジャカード編組みパターンの密度は
、前記外部編組み構造の少なくとも１つの方向に沿って変化する、アッパー組立て体。
【請求項８】
請求項１に記載のアッパー組立て体において、前記非ジャカード編組みパターンの密度
は、前記外部編組み構造の各方向に沿って実質的に一定である、アッパー組立て体。
【請求項９】
請求項１に記載のアッパー組立て体において、前記外部編組み構造の第１の伸縮性の糸
は、前記内部編組み構造の第２の伸縮性の糸と編み合わされる、アッパー組立て体。
【請求項１０】
履物物品において、
外部編組み構造と内部編組み構造とを含むアッパー組立て体と、
ソール構造と
を含み、
前記外部編組み構造は第１の開口を含み、前記内部編組み構造は第２の開口を含み、前
記内部編組み構造の襟部は前記外部編組み構造の前記第１の開口を通って延在し、前記内
部編組み構造の前記第２の開口は、足を受けるように構成され、前記外部編組み構造はジ
ャカード編組みパターンを有する第１の部分を含み、前記ソール構造は前記外部編組み構
造に対して設けられる、履物物品。
【請求項１１】
請求項１０に記載の履物物品において、前記内部編組み構造は非ジャカード編組みパタ
ーンを有する第２の部分を含む、履物物品。
【請求項１２】
請求項１１に記載の履物物品において、前記第１の部分は前記第２の部分と接触する、
履物物品。
【請求項１３】
請求項１０に記載の履物物品において、前記外部編組み構造は非ジャカード編組みパタ
ーンを有する第２の部分を含む、履物物品。
【請求項１４】
請求項１０に記載の履物物品において、前記外部編組み構造は前記アッパー組立て体の
かかと部にて非ジャカード編組みパターンを有し、前記内部編組み構造は前記アッパー組
立て体の前記かかと部にて前記非ジャカード編組みパターンを有する、履物物品。
【請求項１５】
請求項１０に記載の履物物品において、前記外部編組み構造は前記アッパー組立て体の
中足部にて前記ジャカード編組みパターンを有し、前記内部編組み構造は前記アッパー組
立て体の前記中足部にて前記ジャカード編組みパターンを有する、履物物品。
【請求項１６】
請求項１０に記載の履物物品において、前記外部編組み構造は前記アッパー組立て体の
かかと部にて非ジャカード編組みパターンを有し、前記内部編組み構造は前記アッパー組
立て体の前記かかと部にて前記非ジャカード編組みパターンを有する、履物物品。
【請求項１７】
履物物品用のアッパー組立て体の作成方法において、
靴型と編組み装置の編組み点とを互いに相対的に移動させるステップであって、前記編
組み装置は糸巻き枠の第１の輪と糸巻き枠の第２の輪とを少なくとも含み、糸巻き枠の前
記第２の輪は前記編組み装置の表面上で、前記第１の輪内に同心円状に設けられる、ステ
ップと、
１以上の糸巻き枠を糸巻き枠の前記第２の輪に沿って移動させて、内部編組み構造を前
記靴型の外面の周りに形成するステップと、
１以上の糸巻き枠を糸巻き枠の前記第１の輪に沿って移動させて、外部編組み構造を前
記内部編組み構造の周りに形成するステップと、
前記内部編組み構造と前記外部編組み構造とを含む前記アッパー組立て体を形成するス
テップと、
を含む方法。
【請求項１８】
請求項１７に記載の方法において、前記外部編組み構造及び前記内部編組み構造は同時
に形成される、方法。
【請求項１９】
請求項１７に記載の方法において、前記外部編組み構造内にジャカード編組みパターン
を有する部分を形成するステップを更に含む方法。
【請求項２０】
請求項１７に記載の方法において、前記内部編組み構造内に非ジャカード編組みパター
ンを有する部分を形成するステップを更に含む方法。
【請求項２１】
請求項１７に記載の方法において、ジャカード編組みパターンと非ジャカード編組みパ
ターンとを同時に形成するステップを更に含む方法。
【請求項２２】
請求項１７に記載の方法において、
前記外部編組み構造のつま先部に非ジャカード編組みパターンを形成するステップと、
前記外部編組み構造の中足部にジャカード編組みパターンを形成するステップと、
前記外部編組み構造のかかと部に非ジャカード編組みパターンを形成するステップと、
を更に含む方法。
【請求項２３】
請求項１７に記載の方法において、前記内部編組み構造のつま先部から前記内部編組み
構造のかかと部まで延在する連続的な非ジャカード編組みパターンを有する前記内部編組
み構造を形成するステップを更に含む方法。
【請求項２４】
請求項１７に記載の方法において、糸巻き枠の前記第１の輪における糸巻き枠は、複数
の金属回転子を用いて移動される、方法。
【請求項２５】
請求項２４に記載の方法において、１以上の糸巻き枠は、糸巻き枠の前記第１の輪から
糸巻き枠の前記第２の輪まで通過可能であり、前記１以上の糸巻き枠を通過させることは
、角ギヤの中間輪を用いて、糸巻き枠の前記第１の輪と糸巻き枠の前記第２の輪との間で
前記１以上の糸巻き枠を移送することを含む、方法。
【発明の詳細な説明】
【技術分野】
【０００１】
本実施形態は概して、編組み装置と当該編組み装置を用いて作成される履物物品とに関
する。編組み装置は、編組み織物を形成し、その上に複合部分を編組みするために使用さ
れる。
【０００２】
編組み装置は様々な種類の編組みパターンを有する構造を形成してよい。編組みパター
ンは、３以上の伸縮性の糸を編み合わせることによって形成される。糸は概して、編組み
方向に沿って伸縮される。
【発明の概要】
【０００３】
一態様では、履物物品用のアッパー組立て体は、外部編組み構造と内部編組み構造とを
含む。外部編組み構造はジャカード編組みパターンを有する第１の部分を含む。内部編組
み構造は非ジャカード編組みパターンを有する第２の部分を含む。
【０００４】
他の態様では、履物物品は、外部編組み構造と内部編組み構造とを含むアッパー組立て
体と、ソール構造とを含む。前記外部編組み構造は第１の開口を含み、前記内部編組み構
造は第２の開口を含む。前記内部編組み構造の襟部は前記外部編組み構造の前記第１の開
口を通って延在し、前記内部編組み構造の前記第２の開口は、足を受けるように構成され
る。前記外部編組み構造はジャカード編組みパターンを有する第１の部分を含む。前記ソ
ール構造は前記外部編組み構造に対して設けられる。
【０００５】
履物物品用のアッパー組立て体の作成方法は、靴型と編組み装置の編組み点とを互いに
相対的に移動させるステップであって、前記編組み装置は糸巻き枠の第１の輪と糸巻き枠
の第２の輪とを少なくとも含み、糸巻き枠の前記第２の輪は前記編組み装置の表面上で、
前記第１の輪内に同心円状に設けられる、ステップとを含む。当該方法はまた、１以上の
糸巻き枠を糸巻き枠の前記第２の輪に沿って移動させて、内部編組み構造を前記靴型の外
面の周りに形成するステップを含む。当該方法はまた、１以上の糸巻き枠を糸巻き枠の前
記第１の輪に沿って移動させて、外部編組み構造を前記内部編組み構造の周りに形成する
ステップと、それによって前記内部編組み構造と前記外部編組み構造とを含む前記アッパ
ー組立て体を形成するステップとを含む。
【０００６】
本実施形態の他のシステム、方法、機能及び効果は、下記の図面及び詳細な説明を確認
することで当業者にとって自明であり又は自明となる。そのような全ての追加システム、
方法、機能及び効果が本開示及び本要約に含まれ、本実施形態の範囲内であり、及び特許
請求の範囲によって保護されることが意図される。
【図面の簡単な説明】
【０００７】
本実施形態は、添付図面及び説明を参照して一層良く理解される。図面内の構成要素は
必ずしも正しい縮尺ではないが、その代わり、本実施形態の趣旨を図示する際に強調され
ることがある。更に複数の図面内では、類似の参照符号は、異なる図面に亘って、対応す
る部分を示す。
【図１】２つの層を含む編組み物品の等角図である。
【図２】図１の編組み物品の側面図である。
【図３】２つの層と多層編組みパターンとを含む編組み物品の実施形態の等角図である。
【図４】図３の物品の等角図であり、外部層は仮想的に示される。
【図５】履物物品の実施形態についての概念的等角図であって、拡大断面図と概念的断面図とを含む図である。
【図６】本開示の実施形態によるアッパー組立て体の一部の概念図であって、外部編組み構造のいくつかの伸縮性の糸が内部編組み構造の伸縮性の糸と編み合わされる概念図である。
【図７】２つの編組み構造の概念図であって、単一の伸縮性の糸が両方の編組み構造における編組みパターンの一部を形成する概念図である。
【図８】糸巻き枠の多数の輪を有する編組み装置の実施形態の等角図である。
【図９】図８の編組み装置の一部の部分的等角分解立体図である。
【図１０】図８の編組み装置の概念的側部断面図である。
【図１１】編組み装置についての固定糸巻き枠の軌道と、対応する編組みパターンとの概念図である。
【図１２】編組み装置についての可変糸巻き枠の軌道と、対応する編組みパターンとの概念図である。
【図１３】糸巻き枠の輪と編組みアッパー組立て体の層との間の関係を示す、編組み装置の実施形態の概念図である。
【図１４】外部編組み構造と内部編組み構造とを含む編組みアッパー組立て体を形成する処理におけるステップの概念図である。
【図１５】外部編組み構造と内部編組み構造とを含む編組みアッパー組立て体を形成する処理におけるステップの概念図である。
【図１６】外部編組み構造と内部編組み構造とを含む編組みアッパー組立て体を形成する処理におけるステップの概念図である。
【図１７】外部編組み構造と内部編組み構造とを含む編組みアッパー組立て体を形成する処理におけるステップの概念図である。
【図１８】編組みアッパー組立て体を有する履物物品を形成するステップの概念図である。
【図１９】概念的断面図を含む、編組みアッパー組立て体の実施形態の概念図である。
【図２０】ジャカード編組みパターンを有する外部編組み構造と、非ジャカード編組みパターンを有する内部編組み構造とを有する編組みアッパー組立て体の実施形態の概念的側面図である。
【図２１】非ジャカード編組みパターンを有する外部編組み構造と、ジャカード編組みパターンを有する内部編組み構造とを有する編組みアッパー組立て体の実施形態の概念的側面図である。
【図２２】非ジャカード編組みパターンを有する外部編組み構造と、ジャカード編組みパターンを有する内部編組み構造とを有する編組みアッパー組立て体の実施形態の概念的側面図である。
【図２３】編組みアッパー組立て体の実施形態の概念的側面図であって、内部編組み構造が少なくとも２つの異なる編組みパターンを有する図である。
【発明を実施するための形態】
【０００８】
詳細な説明及び請求項は、様々な種類の伸縮性要素、編組み構造、編組み構成、編組み
パターン及び編組み装置を参照してよい。
【０００９】
本開示のように、「伸縮性要素」とは、下記の又は分野において既知の任意の種類の縫
い糸、編み糸、紐、細糸、繊維、針金、ケーブル、他の可能な種類の伸縮性要素を指す。
本開示のように、伸縮性要素は、対応する直径よりも概ね十分大きい長さを有する伸張材
料を示してよい。いくつかの実施形態では、伸縮性要素は、およそ１次元の要素であって
よい。他のいくつかの実施形態では、伸縮性要素は（それらの長さ及び幅よりも非常に小
さい厚みを有して、）およそ２次元であってよい。伸縮性要素は編組み構造を形成するた
めに結合されてよい。「編組み構造」は、３以上の伸縮性要素を共に編み合わせることに
よって形成されてよい。編組み構造は編組みされた縄、ロープ又は糸の形態をとってよい
。代替的に、編組み構造は、２次元構造（例えば平面編組み）として、又は、例えばその
厚みよりも非常に大きい長さ（又は直径）と幅とを有する３次元構造（例えば編組み筒）
として構成されてよい。
【００１０】
編組み構造は様々な異なる構成にて形成されてよい。編組み構成の例は、編組み構造の
編組み密度、編組み張度、構造の形状（これは例えば筒、物品等として形成される）、個
々の伸縮性要素の特性（例えば材料、断面形状、弾性、伸縮強度等）、編組み構造の他の
特徴等を含んでよいがこれに限定されない。編組み構成の１つの特徴は、編組み形状又は
編組みパターンであってよく、これは編組み構成の全体に亘って形成され又は編組み構造
の１以上の領域内に形成されてよい。本開示のように、用語「編組みパターン」は編組み
構造の一領域に伸縮性要素を局所的に配置することを指す。編組みパターンは広く可変的
であり、１以上の次の特徴において異なってよい。すなわち、伸縮性要素（又は糸）の１
以上の群の向き、編組みされた伸縮性要素間に形成される空間又は開口の形状、様々な糸
間の交差パターン、及び他の可能な特徴である。いくつかの編組みパターンは、レースが
編組みされたパターン又はジャカードパターン（例えばシャンティーイ（Chantilly）、
バックスポイント（Bucks  Point）及びトルション（Torchon））を含む。他のパターン
は、二軸ダイヤモンド形編組み、二軸正多角形編組み、及び様々な種類の三軸編組みを含
む。
【００１１】
編組み構造は編組み装置を用いて形成されてよい。本開示のように「編組み装置」は、
３以上の伸縮性要素を自動的に編み合わせて編組み構造を形成することが可能な任意の装
置である。編組み装置は一般に糸巻き枠又はボビンを含んでよく、これらは装置上の様々
な軌道に沿って移動され又は巻かれる。糸巻き枠が巻かれるとき、糸巻き枠から装置の中
心へ延在する伸縮性要素は、「編組み点」又は「編組み領域」にて集中する。編組み装置
は、糸巻き枠の制御及び糸巻き枠の向きを含む様々な特徴に応じて特徴付けられてよい。
いくつかの編組み装置では、編組み処理に亘って各糸巻き枠は独立して制御され、各糸巻
き枠は可変の軌道上を進んでよい（以下、「独立糸巻き枠制御」と称する）。しかし、他
の編組み装置は独立糸巻き枠制御を有さず、各糸巻き枠は装置の周りの固定軌道に沿って
進むように強制される。更にいくつかの編組み装置では、各糸巻き枠の各中心軸は共通の
方向を示す。このため、糸巻き枠の軸は全て平行である（以下、「軸的構成」と称される
）。他の編組み装置では、各糸巻き枠の各中心軸は編組み点へ向けられる（例えば装置の
周辺から編組み点に向かって放射状に内側へ向けられる）（以下、「放射状構成」と称さ
れる）。
【００１２】
使用可能な編組み装置の１つのタイプは、放射状編組み装置又は放射状編組み機である
。放射状編組み装置は独立糸巻き枠制御を欠いてよく、それ故、装置の周辺の固定軌道を
通過する糸巻き枠と共に構成されてよい。いくつかの実施形態では、放射状編組み装置は
放射状構成にて配置される糸巻き枠を含んでよい。明確化のために、詳細な説明及び請求
項は、「放射状編組み装置」との用語を用いて、独立糸巻き枠制御を欠く任意の編組み装
置を指してよい。米国特許7,908,956号（Dow等、2011年3月22日発行、発明の名称「Machi
ne  for  Alternating  Tubular  and  Flat  Braid  Sections」）と米国特許5,257,571
号（1993年11月2日発行、発明の名称「Maypole  Braider  Having  a  Three  Under  an
d  Three  Over  Braiding  path」）とに開示されるように、本実施形態は任意の装置、
機械、構成要素、部分、メカニズム、及び／又は放射状編組み装置に関連する処理を用い
てよい。各出願の全体はここに組み入れられる。これらの出願は以下、「放射状編組み装
置」出願として示されてよい。
【００１３】
使用可能な他のタイプの編組み装置は、レース編組み装置（ジャカード又はトルション
編組み装置として既知）である。レース編組み装置では、糸巻き枠は独立糸巻き枠制御を
有してよい。いくつかのレース編組み装置はまた、軸方向に配置された糸巻き枠を有して
よい。独立糸巻き枠制御を使用することは、開いており且つ複雑な形態を有する編組み構
造（例えばレース編組み）であって、複雑な編組みパターンを形成する際に使用される様
々な種類の編み方を含む編組み構造の作成を可能にする。明確化のために、詳細な説明及
び請求項は、「レース編組み装置」との用語を用いて、独立糸巻き枠制御を有する任意の
編組み装置を指してよい。欧州特許1486601号（Ichikawa等、2004年12月15日発行、発明
の名称「Torchon  Lace  Machine」）と米国特許165,941号（1875年7月27日発行、発明の
名称「Lace-Machine」）とに開示されるように、本実施形態は任意の装置、機械、構成要
素、部分、メカニズム、及び／又はレース編組み装置に関連する処理を用いてよい。各出
願の全体はここに組み入れられる。これらの出願は以下、「レース編組み装置」出願とし
て示されてよい。
【００１４】
糸巻き枠は編組み装置の動作に応じて異なる方法で動いてよい。動作中、編組み装置の
一定の軌道に沿って移動する糸巻き枠は、「非ジャカード動作」をする。一方で編組み装
置の可変軌道に沿って移動する糸巻き枠は「ジャカード動作」をする。したがって、本開
示のように、レース編組み装置はジャカード動作にて糸巻き枠を移動させる手段を提供し
、放射状編組み装置は非ジャカード動作のみにて糸巻き枠を移動させることができる。
【００１５】
米国特許出願14/721,563号（Bruce等、2015年5月26日発行、発明の名称「Braiding  Ma
chine  and  Method  of  Forming  an  Article  Incorporating  Braiding  Machine」
、代理人整理番140222US01/NIKE.249850）に開示されるように、本実施形態は任意の装置
、機械、構成要素、部分、メカニズム、及び／又は編組み装置に関連する処理を用いてよ
い。この出願の全体は参照によりここに取り込まれ、「固定靴型編組み」出願として参照
される。米国特許出願14/721,614号（Bruce等、2015年5月26日発行、発明の名称「Braidi
ng  Machine  And  Method  Of  Forming  An  Article  Incorporating  A  Moving  Ob
ject」、代理人整理番号140518US01/NIKE.249851）に開示されるように、本実施形態は任
意の装置、機械、構成要素、部分、メカニズム、及び／又は編組み装置に関連する処理を
用いてよい。この出願の全体は参照によりここに取り込まれ、「移動靴型編組み」出願と
して参照される。米国特許出願14/821,125号（Lee等、2015年8月7日発行、発明の名称「B
raiding  Machine  with  Multiple  Rings  of  Spools」、代理人整理番号140520US01/
NIKE.249853）に開示されるように、本実施形態は任意の装置、機械、構成要素、部分、
メカニズム、及び／又は編組み装置に関連する処理を用いてよい。この出願の全体は参照
によりここに取り込まれ、「多数輪編組み出願」として参照される。米国特許出願14/721
,507号（Bruce等、2015年5月26日発行、発明の名称「Hybrid  Braided  Article」、代理
人整理番号140521US01/NIKE.249854）に開示されるように、本実施形態は任意の装置、機
械、構成要素、部分、メカニズム、及び／又は編組み装置に関連し若しくは編組み装置を
用いて形成される物品に関連する処理を用いてよい。この出願の全体は参照によりここに
取り込まれ、「ハイブリッド編組み物品出願」として参照される。
【００１６】
図１は履物物品の実施形態の等角図を示す。いくつかの実施形態では、履物物品１００
は、単に物品１００として示され、競技用靴の形態をとる。他のいくつかの実施形態では
、物品１００について開示される提供物（構成）は、様々な他の種類の履物に組み入れら
れる。当該履物は、バスケットボールシューズ、ハイキングブーツ、サッカーシューズ、
フットボールシューズ、スニーカ、ランニングシューズ、クロストレーニングシューズ、
ラグビーシューズ、野球シューズ又は他の種類のシューズを含むがこれらに限られない。
更にいくつかの実施形態では、履物物品１００につき開示される提供物は、他の様々な種
類の非スポーツ関連の履物に組み入れられてよい。当該履物は、スリッパ、サンダル、ハ
イヒールの履物、ローファー及び他の種類の履物を含むがこれらに限られない。
【００１７】
いくつかの実施形態では、物品１００は方向についての様々な形容詞及び参照部分によ
って特徴付けられてよい。これらの方向及び参照部分は、履物物品の部分を記述すること
を容易にする。更にこれらの方向及び参照部分はまた、履物物品の副構成要素（例えばミ
ッドソール構造の方向及び／又は部分、外部ソール構造、アッパー又は他の任意の構成要
素）を記述するのに使用されてよい。
【００１８】
一貫性及び便宜のために、方向についての形容詞は、開示される実施形態に対応して、
本詳細な説明に亘って使用される。本詳細な説明及び請求項に亘って使用される「縦の」
との用語は、構成要素（例えばアッパー又はソール構成要素）の長さに沿って延在する方
向を示す。縦方向とは、縦軸（長軸）に沿って延在してよく、これ自体は構成要素の前足
部とかかと部との間に延在してよい。また本詳細な説明及び請求項に亘って使用される「
横の」との用語は、構成要素（例えばアッパー又はソール構成要素）の幅に沿って延在す
る方向を示す。横方向は横軸（短軸）に沿って延在してよく、これ自体は構成要素の内側
部と外側部との間に延在する。更に本詳細な説明及び請求項に亘って使用される「垂直の
」との用語は、垂直軸に沿って延在する方向を指し、これ自体は概して横軸と縦軸とに直
行する。例えば物品が地面上に平らに置かれるとき、垂直方向は、地面から上方に延在し
てよい。更に「内」との用語は、物品内部の近く（又は物品が着用されるときの足の近く
）に配置された物品部分を指す。同様に、「外」との用語は、物品の内部から（又は足か
ら）遠く配置された物品部分を指す。したがって、例えば構成要素の内面は、構成要素の
外面よりも、物品の内部の近くに設けられる。本詳細な説明は、物品（これはアッパー、
ミッドソール構造及び／又は外部ソール構造を含む）及び物品の様々な構成要素を記述す
る際にこれらの方向に関する形容詞を用いる。
【００１９】
図１に示すように、物品１００は左足と対応付けられる。しかし、下記の説明は、左足
に使用することを意図した物品１００の鏡像に同様に適用されてよい。
【００２０】
参照目的で、物品１００は前足部１０４、中足部１０６及びかかと部１０８へ分割され
てよい。前足部１０４は概して、つま先と、中足骨を指節骨へ接続する関節とに対応付け
られてよい。中足部１０６は概して、足のアーチ部分に対応付けられてよい。同様に、か
かと部１０８は概して、足のかかと（これは踵骨を含む）に対応付けられてよい。物品１
００はまた、足首部１１０（これはまた、袖部として参照されてよい）を含んでよい。更
に物品１００は、外側１１２と内側１１６とを含んでよい。特に、外側１１２と内側１１
６とは物品１００の対向側面であってよい。概して、外側１１２は足の外側部に対応付け
られ、内側１１６は足の内側部に対応付けられてよい。更に外側１１２と内側１１６とは
、前足部１０４、中足部１０６及びかかと部１０８に亘って延在してよい。
【００２１】
前足部１０４、中足部１０６及びかかと部１０８は、例示に過ぎず、物品１００の正確
な領域を定めることを意図するものではない。同様に、外側１１２及び内側１１６は、物
品１００を半分ずつに正確に区別するのではなく、概ね２つの側面を示すことを意図する
ものである。
【００２２】
図２は物品１００の側面を示す。図１及び２を参照すると、物品１００はアッパー組立
て体１０２と共に構成されてよい。いくつかの実施形態では、アッパー組立て体１０２は
単一の層を含んでよい。他の実施形態では、アッパー組立て体１０２は２以上の層を含ん
でよい。２以上の別の層を用いる実施形態では、各層は異なる編組み構造を含んでよい。
例えば図１では、アッパー組立て体１０２は、外部編組み構造１２０と内部編組み構造１
４０とを含む。言い換えれば、外部編組み構造１２０はアッパー組立て体１０２の外層（
又は外部の層）である。内部編組み構造１４０はアッパー組立て体１０２の内層（又は内
部の層）である。更に別の実施形態では、内層又は外層の一方は、編組み層（すなわち、
編組み構造）でなくてよい。他の実施形態（不図示）では、外層は編組みされてよく、一
方で内層は薄く編まれた布を、又は、編まれていない材料を含んでよい。
【００２３】
アッパー組立て体１０２は、内部空洞１１８への入口を提供する足首開口を含んでよい
。いくつかの実施形態では、各層は足首のための開口を含んでよい。図１及び２に示され
るように、外部編組み構造１２０は、外部足首開口を囲う外側足首開口縁１２２を含む。
更に内部編組み構造１４０の襟部１４２は、外側足首開口縁１２２を通って延在する。内
部編組み構造１４０は更に、内側足首開口を囲う内側足首開口縁１２２を含んでよい。こ
れは、足を直接受けて内部空洞へ挿入するよう構成される。図１及び２に開示される実施
形態を含む少なくともいくつかの実施形態では、外部編組み構造１２０は更に、延長開口
縁１２４を含む。これはアッパー組立て体１０２における足の甲上で外側足首開口縁１２
２から延在し、延長開口を囲む。いくつかの実施形態では、開口縁１２４によって囲まれ
る延長開口は、締結要素（例えばレース１１１）を用いて締められてよい。明確化の目的
で、レース１１１は図１にのみ示され、その後の図では省略される。
【００２４】
いくつかの実施形態は、分離したソール構造を含まなくてよい。明確化の目的で、物品
１００はソール構造無しで示される。いくつかの実施形態では、例えば、外部編組み構造
の一部又は全部は、物品の下面に沿って、耐久性、強度、緩衝性、及び／又は摩擦性を提
供するよう構成されてよい。しかし、図１８に示される実施形態を含む下記の他の実施形
態は、ソール構造を含んで、物品の下面に沿って耐久性、強度、緩衝性、及び／又は摩擦
性を提供してよい。
【００２５】
編組みアッパー組立て体を有する物品の他の実施形態は、他の種類の物品に対応付けら
れた任意の他の提供物を組み入れてよい。そのような提供物は、レース、靴紐（ストラッ
プ）、縄、及び他の種類の留め具、アイステー（eyestay：紐穴の周辺部）、紐穴、切り
落とし要素、当て物（パッド）、かかとカウンタ、かかと受け（かかとカップ）、保護部
、分離した材料パネル、及び他の任意の提供物を含むがこれらに限定されない。
【００２６】
図３は、アッパー組立て体１０２の実施形態の等角図であって、異なる領域の編組みパ
ターンを概念的に記述する多数の拡大領域を含む図である。図４はアッパー組立て体１０
２の実施形態の等角図を示す。ここでは外部編組み構造１２０が明確化の目的で仮想的に
示される。図３及び４を参照すると、いくつかの実施形態では、外部編組み構造１２０及
び内部編組み構造１４０は、異なる特徴を有する別の構造であってよい。その２つの編組
み構造ごとに可変な例示的特徴は、編組み構造の編組み密度、編組み張度、構造の形状（
例えば筒、物品等として形成される）、個々の伸縮性要素の特性（例えば材料、断面形状
、弾性、伸縮強度等）、編組み構造の他の特徴等を含んでよいがこれに限定されない。
【００２７】
図４に示すように、内部編組み構造１４０はブーティ（ブーツ）状の層又は構造を含み
、これは、アッパー組立て体１０２が着用されるときに足全体を包む。したがっていくつ
かの実施形態では、内部編組み構造１４０は、着用時に足に直接的に接触するよう構成さ
れる。反対に外部編組み構造１２０は、少なくともいくつかの内部編組み構造１４０を包
む。このため外部編組み構造１２０の全体は、アッパー組立て体１０２の外部へ露出する
。いくつかの実施形態では、アッパー組立て体１０２が着用されるときに、外部編組み構
造１２０は足の任意の部分へ直接的に接触しなくてよい。というのも、内部編組み構造１
４０は外部編組み構造１２０の全ての部分と足との間に設けられるからである。もちろん
、他の実施形態では外部編組み構造１２０のいくつかの部分は（例えば内部編組み構造１
４０における大きな開口によって）足に直接的に接触してよいことを理解されたい。
【００２８】
異なる実施形態では、各編組み構造の寸法は可変である。いくつかの実施形態では、編
組み構造の１以上の寸法は、編組み構造を作成するために使用される伸縮性の糸の厚みに
よって、少なくとも部分的に制御されてよい。いくつかの実施形態では、外部編組み構造
及び内部編組み構造は類似の厚みを有してよい。他の実施形態では、外部編組み構造及び
内部編組み構造は異なる厚みを有してよい。図３に示される実施形態では、外部編組み構
造１２０及び内部編組み構造１４０は共に、実質的に類似の厚みを有してよい。そのよう
な場合、結果として生じる物品は、２つの構造（又は層）が重複する領域で、単一の編組
み構造（又は層）の２倍の厚さを有してよい。例えばそのような実施形態では、アッパー
組立て体１０２は、つま先領域１６２において、袖領域１６６における厚さの２倍の厚さ
を有してよい。というのも袖領域１６６は、単一の編組み構造を有するのに対しつま先領
域１６２は共に重ねられた２つの編組み構造を含むからである。この設計は、足のいくつ
かの領域（例えばつま先、中足及びかかと）における耐久性及び強度を増強することを可
能にする一方、他の領域（例えば足の甲及び袖）での柔軟性を増強することを可能にする
。
【００２９】
上記の通り、編組み物品又は編組み構造は、様々な種類の編組みパターンにより形成可
能である。本実施形態は、「ジャカード編組みパターン」又は「非ジャカード編組みパタ
ーン」を有する編組みパターンを有するものとして特徴付けられてよい。ジャカード編組
みパターン及び非ジャカード編組みパターンは編組みパターンの異なる分類を指してよい
。したがって、ジャカード編組みパターンは、共通の特徴を共有する様々な異なる編組み
パターンを含んでよい。非ジャカード編組みパターンは共通の特徴を有する様々な異なる
編組みパターンを含んでよい。ジャカード編組みパターンの１つのタイプはレース編組み
パターンである。ジャカード編組みパターンの他のタイプは、トルション編組みパターン
又はトルションレース編組みパターンであってよい。反対に非ジャカード編組みパターン
は、二軸、三軸、ひし形、又は他の種類の多角形編組みパターンに対応付けられてよい。
いくつかの実施形態では、非ジャカード編組みパターンは放射状編組みパターンとして参
照されてよい。非ジャカード編組みパターンは放射状編組み装置を用いて容易に形成可能
である。しかし、いくつかの実施形態では非ジャカード編組みパターンは放射状編組み装
置ではない装置から形成可能であってよいことを理解されたい。したがって、「ジャカー
ド編組みパターン」及び「非ジャカード編組みパターン」との用語は、編組み構造の構成
を指し、編組み構造を作成するのに使用される装置又は方法のタイプとは独立してよいこ
とを理解されたい。
【００３０】
概して、ジャカード編組みパターン及び非ジャカード編組みパターンは異なる特徴を有
してよい。例えばジャカード編組みパターンは、隣接する伸縮性の糸同士の間の空間を有
する一層開いたものとして特徴付けられ、不均一な態様で変化してよい。反対に、非ジャ
カード編組みパターンは概ね均一でよい。いくつかの実施形態では、非ジャカード編組み
パターンは格子状であってよい。ジャカード編組みパターン及び非ジャカード編組みパタ
ーンはまた、装飾的なデザインの有無によって特徴付けられてよい。具体的には、ジャカ
ード編組みパターンは１以上の装飾的デザインを有してよいし、一方で非ジャカード編組
みパターンは、（糸巻き枠を編組み装置の一定の軌道周りに移動することによる）形成さ
れる性質上、そのような装飾的デザインを欠いてよい。更に伸縮性の糸の密度（例えば所
定の領域における糸の平均数）は、ジャカード編組みパターンでは非常に可変的であって
よく、編組み構造の様々な方向に沿って変化してよい。反対に非ジャカード編組みパター
ンの伸縮性の糸の密度は、概ね一定でよいし、編組み構造を形成する方法によって示され
る単一の軸の方向に沿って変化してよい。したがって、いくつかの非ジャカード編組みパ
ターンは、構造の軸に沿って変化する密度を有してよい。しかし、当該パターンの密度は
概ね、構造の多くの異なる方向に沿って変化しなくてよい。
【００３１】
図３に示すように、外部編組み構造１２０は異なる編組みパターンを有する領域を含む
。例えば前足部１０４の少なくともいくつかの部分は、非ジャカード編組みパターン１８
０を含む。更に、かかと部１０８の少なくともいくつかの部分は、非ジャカード編組みパ
ターン１８４を含む。また、少なくともいくつかの中足部１０６は、ジャカード編組みパ
ターン１８２を含む。この配置によって、アッパー組立て体１０２は、外部編組み構造１
２０の異なる部分で変化する物性を有してよい。例えばいくつかの実施形態では、ジャカ
ード編組みパターンを有する編組み構造は、非ジャカード編組みパターンを有する編組み
パターンよりも、低い密度又は高い弾性を有してよい。別の実施形態では、ジャカード編
組みパターンを有する編組み構造は更に、非ジャカード編組みパターンを有する編組み構
造には存在しない複雑なパターン及びデザインを含んでよい。他のいくつかの実施形態で
は、非ジャカード編組みパターンを有する編組み構造は、ジャカード編組みパターンを有
する編組み構造よりも、高い密度及び高い耐摩耗性を有してよい。
【００３２】
図３に示すように、内部編組み構造１４０は非ジャカード編組みパターン１８８を含ん
でよい。具体的には、図３及び４に明示されるように内部編組み構造１４０の全体は非ジ
ャカード編組みパターン１８８を有する。したがって、内部編組み構造１４０は均一且つ
一定の編組み構造を含む。反対に、外部編組み構造１２０は、編組み構造が変化し不均一
な領域を、例えば編組みパターン移行領域１９０（図３に示す）において含む。
【００３３】
図３及び４に示すように、外部編組み構造１２０及び内部編組み構造１４０のそれぞれ
は、全体編組み構造である。具体的には外部編組み構造１２０は前足部、中足部及びかか
と部を含む。類似的に、内部編組み構造１４０は前足部、中足部及びかかと部を含む。し
たがって、各編組み構造は、足の前足部、中足部及びかかと部を少なくとも部分的に覆う
よう構成された構造を含む。
【００３４】
いくつかの実施形態では、外部編組み構造及び内部編組み構造は取付けられてよい。い
くつかの実施形態では、外部編組み構造及び内部編組み構造は、例えば接着剤を用いて共
に接着可能である。一実施形態（不図示）では、外部編組み構造及び内部編組み構造は樹
脂又はポリマ膜を用いて物品の１以上の位置に沿って溶解されてよい。いくつかの実施形
態では、外部編組み構造と内部編組み構造とは、双方の編組み構造へと統合される１以上
の伸縮性の糸によって、（伸縮性の糸を各構造から他方へ編み合わせることで）取付けら
れてよい。いくつかの実施形態では、外部編組み構造及び内部編組み構造は任意の位置で
分離されてよく、取付けられなくてよい。分離編組み構造の例示的実施形態は、下記で説
明され、図１９で図示される。
【００３５】
図５は、アッパー組立て体１０２の実施形態の概念図を示す。これは、アッパー組立て
体１０２の一部の拡大断面図と、外部編組み構造及び内部編組み構造の概念的拡大図とを
含む。図５に示すように、外部編組み構造１２０及び内部編組み構造１４０はアッパー組
立て体１０２の少なくともいくつかの部分に沿って連結されてよい。具体的には、外部編
組み構造１２０のいくつかの糸は、外部編組み構造１２０の糸に係合して（例えば巻きつ
けて、より合わせて、又は編み合わせて）よい。例えば外部編組み構造１２０の１以上の
伸縮性の糸１２５は、内部編組み構造１４０の１以上の伸縮性の糸１４５に係合してよい
。
【００３６】
図６は外部編組み構造１２０及び内部編組み構造１４０の一部を含むアッパー組立て体
１０２の一部についての概念図である。図６を参照すると、外部編組み構造１２０の第１
の伸縮性の糸２０２及び第２の伸縮性の糸２０４は、内部編組み構造１４０の多数の伸縮
性の糸２０６と係合してよい。
【００３７】
外部編組み構造１２０及び内部編組み構造１４０からの伸縮性の糸の編み合わせること
によって、２つの編組み構造は永続的に取付けられ、複合編組み構造として機能すること
が可能である。更にアッパー組立て体に亘って多数の異なる位置にて編み合わせることに
よって、アッパー組立てに亘る均一な取付けが可能である。これは、２つの編組み構造が
単一の部分（例えばアッパーの襟又はつま先）に沿って取付けられる又は統合的に形成さ
れる実施形態とは対照的である。もちろん、編組み構造同士は全ての位置で取付けられな
くてよい。例えば図６の実施形態では、第３の伸縮性の糸２０６及び第４の伸縮性の糸２
０８は、内部編組み構造１４０と編み合わされず、代わりに、内部編組み構造１４０の外
側に対向配置されてよい。
【００３８】
図６に示すように、第１の編組み構造における編組みパターンの１つのタイプからの伸
縮性の糸は、第２の編組み構造における編組みパターンの他のタイプからの伸縮性の糸と
編み合わされてよい。したがって、例えば伸縮性の糸２０２及び伸縮性の糸２０４は、外
部編組み構造１２０におけるジャカード編組みパターンの一部を含み、内部編組み構造１
４０における非ジャカード編組みパターンの一部を含む、伸縮性の糸２０６及び伸縮性の
糸２０８と編み合わされる。もちろん、異なる編組み構造の伸縮性の糸はまた、編組み構
造同士の隣接部分が同一の又は類似の編組みパターンを含む（例えば両方の構造は非ジャ
カード編組みパターンを有する）構成にて編み合わされてよい。
【００３９】
明確化の目的で、実施形態は、（それぞれ２つの異なる編組み構造からの）２つの伸縮
性の糸の間での編み合わせを開示する。もちろん他の実施形態では、３以上の伸縮性の糸
（これは、外部編組み構造又は内部編組み構造の一方からの２以上の伸縮性の糸を含む）
の編み合わせを行ってよい。
【００４０】
外部編組み構造の糸と内部編組み構造の糸との間での係合は、アッパー組立て体に亘っ
て任意の位置で行われてよいことを理解されたい。類似的に、糸が係合する位置の数は可
変である。したがって、単一の位置で係合される（例えば編み合わされる）糸の数、並び
に、係合の数及び位置は可変であり、外部編組み構造と内部編組み構造との異なる程度の
取付けが実現可能である。例えばいくつかの実施形態では、内部編組み構造及び外部編組
み構造は、双方の構造が非ジャカード編組みパターンを有する領域のみにて取付けられて
よい。他の実施形態（例えば図５乃至８に示される実施形態）では、異なる種類の編組み
パターンからの伸縮性の糸が編み合わされてよい。
【００４１】
いくつかの実施形態では、異なる編組み構造からの伸縮性の糸は、様々な係合位置にて
単に互いを巻き合わせてよい。しかし、各伸縮性の糸は、物品の大部分に亘って、特定の
構造及び／又はパターンに対応付けられてよい。他の実施形態では、図７に示すように、
単一の伸縮性の糸は、内部編組み構造に組み入れられるいくつかの部分と、外部編組み構
造に組み入れられた他の部分とを有してよい。図７では図示の目的で、外部編組み構造２
２２は持ち上げられ、内部編組み構造２２０から離れるように回転されて示される。図７
を参照すると、伸縮性の糸２１０は内部編組み構造２２０にて始まるが、次いで外部編組
み構造２２２へ渡る。より具体的には、伸縮性の糸２１０の一部は、外部編組み構造２２
２におけるジャカード編組みパターン２２６の一部を含み、伸縮性の糸２１０の異なる部
分は、内部編組み構造２２０における非ジャカード編組みパターン２２８の一部を含む。
この場合、各個別の伸縮性の糸は、物品のいくつかの位置において外部編組み構造の部分
へと、且つ、物品の他の位置において内部編組み構造の部分へと組み入れられる。換言す
ればいくつかの実施形態では、単一の伸縮性の糸は１つの編組み構造における第１の編組
みパターンと、異なる編組み構造における第２の編組みパターンとの一部であってよい。
第１の編組みパターン及び第２の編組みパターンは、類似のパターンであってよいし、別
のパターンであってよい。
【００４２】
図８乃至１８は外部編組み構造と内部編組み構造とを有する編組み物品の作成方法につ
いての実施形態を示す。ここでは外部編組み構造と内部編組み構造とは同時に形成される
。例示的実施形態では、外部編組み構造及び内部編組み構造は、共に編組み装置上で形成
されてよい。外部編組み構造と内部編組み構造とを有するアッパー組立て体を形成する例
示的編組み装置は、図８乃至１８の実施形態にて開示される。しかし、他の実施形態では
、他の種類の装置（これは例えば、多数輪編組み装置出願に開示される１以上の装置を含
む）を使用可能であることを理解されたい。
【００４３】
図８は、編組み装置４００の実施形態の等角図を示す。いくつかの実施形態では、編組
み装置４００は支持構造４０２と糸巻きシステム４０４とを含んでよい。支持構造４０２
は更に基部４１０、頂部４１２及び中央固定部４１４を含んでよい。
【００４４】
いくつかの実施形態では、基部４１０は１以上の壁４２０を含んでよい。図８の例示的
実施形態では、基部４１０は、編組み装置４００のためにおよそ長方形の土台を形成する
４つの壁４２０を含む。しかし、他の基部４１０は任意の他の形状で設けられた任意の他
の数の壁を含んでよい。本実施形態では、基部４１０は頂部４１２を指示する役割を果た
し、したがって、頂部４１２（及び、頂部４１２に取付けられた中央固定部４１４及び糸
巻きシステム４０４）の重さを指示するような方法で形成されてよい。
【００４５】
いくつかの実施形態では、頂部４１２は頂面４３０を含む。これは更に中央面部４３１
及び周辺面部４３２を含んでよい。いくつかの実施形態では、頂部４１２はまた、側壁面
４３４を含んでよく、これは周辺面部４３２に近接する。例示的実施形態では、頂部４１
２はおよそ円形形状を有する。もっとも他の実施形態では、頂部４１２は任意の他の形状
を有してよい。更に例示的実施形態では、頂部４１２はほぼ正確な直径を有し、これは基
部４１０の幅より広い。このため、頂部４１２は１以上の水平方向で基部４１０を超えて
延在する。
【００４６】
靴型、心棒（マンドレル）又は編組み装置４００を通過する類似の提供物を通過するた
めの手段を提供するために、実施形態は基部４１０にて少なくとも１つの側壁開口４６０
を含む。例示的実施形態では、側壁開口４６０は壁４２０の壁４２１上に設けられてよい
。側壁開口４６０は更に基部４１０内の中央空洞４６２への入口を提供してよい。
【００４７】
編組み装置４００は中央固定部４１４を含んでよい。例示的実施形態では、中央固定部
４１４は１以上の脚４４０と中央台座４４２とを含む。中央固定部４１４はまた円頂部４
４４（ドーム部）を含む。しかし、他の実施形態では、中央固定部４１４は任意の他の形
状を有してよい。図８に示すように、円頂部４４４は開口４７１を含む。開口４７１は更
に、中央空洞４７２へ接続される。このことは図１０に良く示される。
【００４８】
支持構造の構成要素は任意の材料を含んでよい。使用可能な例示的材料は、金属又は金
属合金（これは鋼、鉄、合金鋼及び／又は鉄合金を含むがこれに限定されない）を有する
任意の材料を含む。
【００４９】
図９は糸巻きシステム４０４のいくつかの構成要素の部分的分解立体図である。明確化
の目的で、図９のいくつかの構成要素は省略され、視認できない。図９を参照すると、糸
巻きシステム４０４は糸巻きシステム４０４の様々な糸巻き枠から糸を編み合わせる手段
を提供する。
【００５０】
糸巻きシステム４０４は編組み装置４００の表面に沿って糸巻き枠を通過させ又は移動
させるための様々な構成要素を含んでよい。いくつかの実施形態では、糸巻きシステム４
０４は１以上の糸巻き枠動作要素を含んでよい。本開示のように、「糸巻き枠動作要素」
との用語は、編組み装置の表面上の軌道に沿って糸巻き枠を動作させ又は通過させるため
に使用可能な任意の提供物又は構成要素を指す。例示的な糸巻き枠動作要素は、金属回転
子、角ギヤ及び可能な他の種類のギヤ又は要素を含むがこれに限定されない。図に示され
る例示的実施形態は、金属回転子及び角ギヤの両方を使用する。これらは、その場で回転
し運搬要素の通過を支援する。当該運搬要素に対し、編組み装置の表面上の軌道内で、糸
巻き枠は環状に搭載される。
【００５１】
いくつかの実施形態では、糸巻きシステム４０４は１以上の金属回転子を含んでよい。
金属回転子は糸巻き枠を、レース編組み装置内（例えばトルション編組み装置）の進路又
は軌道に沿って糸巻き枠を移動させる際に使用されてよい。
【００５２】
例示的な金属回転子５１０が図９に示される。金属回転子５１０は対向する２つの凸状
側面と、対向する２つの凹状側面とを含む。具体的には、金属回転子５１０は第１の凸状
側面５１２、第２の凸状側面５１４、第１の凹状側面５１６及び第２の凹状側面５１８を
含む。いくつかの実施形態では、編組み装置４００を含む全ての金属回転子は類似の大き
さ及び形状を有してよい。しかし、他のいくつかの実施形態では、内輪に沿って配置され
る金属回転子（下記）は、外輪に沿って配置される金属回転子よりも僅かに小さな大きさ
であってよい。
【００５３】
金属回転子は中心開口に沿って延在する軸の周りに回転してよい。例えば金属回転子５
２３は中心開口５２２に沿って延在する軸５２０の周りに回転するよう構成される。いく
つかの実施形態では、中心開口５２２は車軸又は留め具（不図示）を受けてよい。これら
の周りに、金属回転子５２３は回転してよい。更に、凹状側面同士の間に空隙が形成され
るように、金属回転子は配置される。例えば、金属回転子５２３の凹状側面と隣接する金
属回転子５２５の凹状側面との間に空隙５２６が形成される。
【００５４】
個々の金属回転子が回転すると、回転する金属回転子の凸状部は、干渉無しに、隣接す
る金属回転子の凹状側面を通過する。例えば金属回転子５２７は、金属回転子５２７の凸
状側面が金属回転子５２８及び金属回転子５２９の凹状側面に収まるように回転する。こ
のように、各金属回転子は、その回転中、対向する金属回転子がその場で動作しなければ
、回転可能である。これにより、隣接する２つの金属回転子の凸状側面間での干渉（例え
ば接触）が防止される。
【００５５】
糸巻きシステム４０４はまた、１以上の角ギヤを含んでよい。角ギヤは、放射状編組み
装置内の進路又は軌道に沿って糸巻き枠を移動させる際に使用可能である。例示的な角ギ
ヤ５３０が図９に示される。角ギヤ５３０は丸い形を有してよく、更に、１以上のくぼみ
又は溝を含んでよい。例示的実施形態では、角ギヤ５３０は第１の溝５３２、第２の溝５
３４、第３の溝５３６及び第４の溝５３８を含む。角ギヤ５３０は更に中心開口５３７を
含んでよく、これを通って車軸又は留め具が挿入され、これの周りに角ギヤ５３０が回転
してよい。１８０度の回転につきおよそ左右対称である金属回転子とは対照的に（という
のも凹状側面と凸状側面との間の変化は９０度なので）、角ギヤは９０度の回転につきお
よそ左右対称であってよい。
【００５６】
糸巻きシステム４０４は追加構成要素（例えば１以上の運搬要素であって、糸巻き枠を
運搬するよう構成される要素）を含んでよい。１つの例示的な運搬要素５５０が図９に示
される。例示的実施形態では、運搬要素５５０は回転子係合部５５２と棒部５５４とを含
む。回転子係合部５５２は、隣接する２つの金属回転子の凹状側面部間に形成される溝（
例えば溝５２６）に係合するよう形成されてよい。いくつかの実施形態では、回転子係合
部５５２はおよそ楕円形又は細長い形状を有する。代替的に他の実施形態では、回転子係
合部５５２は、隣接する複数の金属回転子によって受けられ且つそれらの間で通過する任
意の他の形状を有してよい。棒部５５４は対応する糸巻き枠を受けてよい。代替的に、運
搬要素５５０はフランジ部５５６を含んでよい。この上には糸巻き枠が位置し、これによ
って小さな中間棒部５５８が作成される。そこでは、運搬要素５５０が角ギヤの溝によっ
て係合される。もちろん他の実施形態では、運搬要素５５０は、金属回転子及び／又は角
ギヤを係合させる（又は糸巻き枠を受ける）ための任意の他の提供物を含んでよい。少な
くともいくつかの実施形態では、１以上の角ギヤは１以上の金属回転子の僅か上方に持ち
上げられてよい。このため、角ギヤは、金属回転子によって係合された運搬要素の一部よ
りも高い運搬要素の一部と係合可能である。
【００５７】
糸巻きシステム４０４は、１以上の金属回転子及び／又は角ギヤの動作を制御するため
の追加構成要素を含んでよい。例えば実施形態は、金属回転子及び／又は角ギヤを駆動す
るよう動作する１以上のギヤ組立て体を含んでよい。金属回転子の回転を制御するための
例示的ギヤ組立て体は、レース編組み装置出願に開示される。一方、角ギヤの回転を制御
するためのギヤ組立て体は放射状編組み装置出願に開示される。他のギヤ組立て体が可能
であることと、当業者はギヤのタイプ及びギヤの特定の配置を選択して糸巻きシステム４
０４の金属回転子及び角ギヤの所望の回転速度又は他の所望の機能を達成してよいことを
理解されたい。
【００５８】
糸巻きシステム４０４はまた１以上の糸巻き枠を含んでよい。これは代替的には「紡錘
」、「ボビン」及び／又は「巻枠（リール）」を指してよい。各糸巻き枠は運搬要素上に
配置されてよい。これによって糸巻き枠は隣接する金属回転子及び／又は角ギヤの間を通
過可能である。図８乃至１０に示すように、糸巻きシステム４０４は複数の糸巻き枠５０
０を含み、これらは対応付けられた運搬要素上に配置され、編組み装置４００の表面周り
に巻かれてよい。
【００５９】
図９に示すように、複数の糸巻き枠５００は糸巻き枠５６０を含む。糸巻き枠５６０は
任意の糸巻き枠、紡錘、ボビン又は巻枠であってよく、これは編組み装置の伸縮性要素を
保持する。本開示のように、「伸縮性要素」との用語は、編まれ、織られ、又は編み合わ
される任意の種類の要素を指す。そのような伸縮性要素は、縫い糸、編み糸、紐、細糸、
繊維、針金、ケーブル、他の可能な種類の伸縮性要素を指すがこれに限定されない。本開
示のように、伸縮性要素は、対応する直径よりも概ね十分大きい長さを有する伸縮性の材
料を示してよい。言い換えれば、伸縮性要素はおよそ１次元の要素であってよい。一方、
織物材料の布又は層は、（その長さ及び幅よりも十分小さい厚みを有して、）およそ２次
元であってよい。例示的実施形態は、様々な種類の糸の使用を開示する。しかし、編組み
装置と両立する任意の他の伸縮性要素が他の実施形態で使用可能であることを理解された
い。
【００６０】
編組み装置（例えば編組み装置４００）の糸巻き枠上を運搬される伸縮性要素（例えば
糸）は、異なる材料で形成されてよい。編組みされた構成要素の領域へ特定のタイプの糸
が与える特性は、部分的には、その糸内の様々な細糸及び繊維を形成する材料に依存する
。例えば綿は、柔らかい手触り、自然美及び生分解性を提供する。エラスタン及び伸縮ポ
リエステルの各々は、実質的な伸縮性及び回復性を提供する。このとき伸縮ポリエステル
はまた、リサイクル可能性を提供する。レーヨンは高い光沢及び吸湿性を提供する。羊毛
はまた、高い吸湿性と、断熱性及び生分解性を提供する。ナイロンは耐久性がある摩耗性
材料であり、比較的高い強度を有する。ポリエステルは、比較的高い耐久性を提供する疎
水性材料である。材料に加え、編組み構成要素の形成のために選択される糸の他の態様は
、編組み構成要素の特性に影響してよい。例えば糸は、単一繊維の糸又は多数繊維の糸で
あってよい。糸はまた、異なる材料で各々が形成された異なる繊維を含んでよい。更に、
糸は２以上の異なる材料で各々が形成された繊維（例えば複合構成要素であってその繊維
が、異なる材料で形成される、覆いと核との構成又は二等分構成を有する複合構成要素）
を含んでよい。
【００６１】
糸巻きシステム４０４の構成要素は、３つの輪（これは内輪４７０、中間輪４８０及び
外輪４９０（図８及び９参照）へと組織されてよい。各輪は輪に沿って糸巻き枠を通過さ
せるための構成要素のセットを含む。例えば内輪４７０は、閉じた進路又は軌道内に配置
される金属回転子５７０の第１のセット（図９）を含んでよい。中間輪４８０は、閉じた
進路又は軌道内に配置される角ギヤ５８０のセットを含んでよい。外輪４９０は、閉じた
進路又は軌道内に配置される金属回転子５９０の第２のセットを含んでよい。
【００６２】
図８に示すように、例示的実施形態では、内輪４７０、中間輪４８０及び外輪４９０は
同心円状の配置を有してよい。具体的には、内輪４７０は中間輪４８０の内部で同心円状
に配置される。また、中間輪４８０は外輪４９０の内部で同心円状に配置される。言い換
えれば、内輪４７０、中間輪４８０及び外輪４９０は、共通の中心の周りに配置され、異
なる直径を有する。また内輪４７０は、中間輪４８０及び外輪４９０よりも、中央固定部
４１４に近い。外輪４９０はまた、支持構造４０２の外周縁４０９に近い。
【００６３】
金属回転子は概して、図８の等角図では視認できないことを理解されたい。というのも
金属回転子は内輪４７０と外輪４９０との上に配置された複数の糸巻き枠５００の存在に
よって不明瞭だからである。しかし、図９に明示されるように、各糸巻き枠と内輪４７０
又は外輪４９０内の運搬要素とは、隣接する２つの金属回転子間に保持されてよい。
【００６４】
各輪は異なる直径を有する。しかし、各輪の構成要素は、１つの輪の金属回転子が他の
輪の角ギヤの近傍であるように、１つの輪の金属回転子は配置される。例えば図９に示す
ように、内輪４７０の金属回転子の第１のセット５７０は、角ギヤの近傍のセット５８０
である。類似的に、外輪４９０の金属回転子の第２のセット５９０は、角ギヤの近傍のセ
ット５８０である。具体的には、金属回転子の第１のセット５７０の各金属回転子は、角
ギヤのセット５８０の少なくとも１つの角ギヤに対し実質的に十分近傍である。このため
、（運搬要素上に配置された）糸巻き枠は、金属回転子と角ギヤとの間を通過することが
可能である。類似的には、金属回転子の第２のセット５９０の各金属回転子は、角ギヤの
セット５８０の少なくとも１つの角ギヤに対し実質的に十分近傍である。このため、（運
搬要素上に配置された）糸巻き枠は、金属回転子と角ギヤとの間を通過することが可能で
ある。
【００６５】
いくつかの実施形態では、糸巻き枠が輪同士の間を通過するとき、糸巻き枠が、任意の
輪沿いでの衝突を回避するような方法で制御可能である。例えば内輪又は外輪の一方上の
金属回転子同士の間に、開いた空隙又は空間がない動作構成においては、輪同士の間の糸
巻き枠動作は調整され、糸巻き枠が内輪又は外輪に到達したときに衝突しない。いくつか
の実施形態では、例えば、糸巻き枠の動作は調整され、糸巻き枠が外輪を離れて内輪へ移
行するときに、内輪の他の糸巻き枠は内輪から離れて中間輪へ移行する。これにより外輪
から内輪へ移行する糸巻き枠のための空隙が開かれる。したがって、輪間での糸巻き枠動
作は調整され、糸巻き枠同士での衝突が外輪、中間輪又は内輪にて生じないことを確実に
してよい。
【００６６】
少なくともいくつかの実施形態では、中間輪（例えば中間輪１８０）に配置された角ギ
ヤは、各ギヤが一定の方向及び回転速度を有するように制御されるのではなく、独立して
回転動作を行うことが可能である。言い換えれば他のいくつかの実施形態では、角ギヤは
、非ジャカード動作のみで制御されるのではなく、ジャカード動作にて制御されることが
できる。各角ギヤについてのこの独立制御は、輪同士の間を通過する糸巻き枠に対するよ
り細かい制御を可能にし、また、いくつかの実施形態では、内輪又は外輪の一方にて空隙
が開かれるまで、糸巻き枠が中間輪に沿って留まって通過することを可能にする。
【００６７】
図８乃至１０の実施形態は、可動靴型システム６９０を含み、これは図１０にて概念的
に示される。可動靴型システム６９０は更に複数の靴型６９２を含む。複数の靴型６９２
は、側壁開口４６０を通って編組み装置４００に入り、中央空洞４６２と中央固定空洞４
７２とを通過して最終的に円頂部４４４の開口４７１を通って出るよう構成される。各靴
型が開口４７１から出ると、靴型は編組み装置４００の編組み点を通過してよい。このた
め、糸は靴型の表面に編組みされてよい（不図示）。
【００６８】
複数の靴型６９２の靴型は、任意の大きさ、形状及び／又は方向を有してよい。例示的
実施形態では、複数の靴型６９２の各靴型は、足の形状で３次元に成形された靴型を含む
（例えば靴型部材６９８は履物の靴型である）。しかし、他の実施形態は、予め構成され
た形状を有する編組み物品を形成するために構成される、任意の他の形状を有する靴型を
使用してよい。
【００６９】
編組み装置４００に入ると、各靴型はほぼ水平方向（これは、頂面４３０とほぼ平行な
任意の方向である）に進んでよい。側壁開口４６０を通過して空洞４６２に入ると、各靴
型は次いでほぼ９０度回転される。このため当該靴型はほぼ垂直方向に移動し始める。垂
直方向とは、編組み装置４００の頂面４３０に対し垂直の又は直行する方向であってよい
。いくつかの実施形態では、各靴型は迅速に９０度回転されて、その軌道の方向を変化さ
せてよいことを理解されたい。他の実施形態では、各靴型は曲線に沿って回転されてよい
。このため、当該靴型はおよそ９０度、ゆっくり回転される。
【００７０】
可動靴型システムは編組み装置を通して靴型を移動させる提供物（これは靴型が移動す
る方向を変化させる提供物を含む）を含んでよい。これらの提供物は、様々な進路、ロー
ラ、ケーブル又は、所定の軌道に沿って靴型を支持する他の提供物を含んでよい。
【００７１】
図１１乃至１２は、編組み装置周囲の様々な糸巻き枠の軌道と、対応付けられた編組み
パターンとの概念図である。図１１を参照すると、固定糸巻き枠軌道のセット（これは第
１の糸巻き枠６０２のための第１の固定糸巻き枠軌道６００と、第２の糸巻き枠６１２の
ための第２の固定糸巻き枠軌道６１０とを含む）が示される。これらの固定糸巻き枠軌道
は、固定軌道の種類を示す。当該軌道は、編組み装置４００が動作して非ジャカード編組
みパターン６３０（図１１に概念的に示す）を形成するときに通過するものである。便宜
目的で、第１の固定糸巻き枠軌道６００と第２の固定糸巻き枠軌道６１０との組合せは、
固定糸巻き枠軌道構成として集合的に示されてよい。図１１の固定糸巻き枠軌道は固定軌
道の種類を示すことを意図したものに過ぎないことを理解されたい。当該軌道は、非ジャ
カード編組みパターン（例えば放射状編組みパターン）を形成するために糸巻き枠が通過
するものである。
【００７２】
図１２を参照すると、可変糸巻き枠軌道のセット（これは第１の糸巻き枠６４２のため
の第１の可変糸巻き枠軌道６４０と、第２の糸巻き枠６５２のための第２の可変糸巻き枠
軌道６５０とを含む）が示される。これらの可変糸巻き枠軌道は、可変軌道の種類を示す
。当該軌道は、編組み装置４００が動作してジャカード編組みパターン６６０（図１２に
概念的に示す）を形成するときに通過するものである。便宜目的で、第１の可変定糸巻き
枠軌道６４０と第２の可変糸巻き枠軌道６５０との組合せは、可変糸巻き枠軌道構成とし
て集合的に示されてよい。図１２の可変糸巻き枠軌道は可変軌道の種類を示すことを意図
したものに過ぎないことを理解されたい。当該軌道は、ジャカード編組みパターン（例え
ばレース編組みパターン）を形成するために糸巻き枠が通過するものである。
【００７３】
固定糸巻き枠軌道構成では、編組み装置の各糸巻き枠は編組み装置の周りに完全な輪（
ループ）（方向として時計回り又は反時計回りの一方）を形成し、編組み装置の同一領域
を通過することを理解されたい。反対に、可変糸巻き枠軌道構成では、いくつかの糸巻き
枠は単一領域を２回以上通過可能であり、このとき、編組み装置の周りに完全な輪を形成
しない。
【００７４】
いくつかの編組み装置（すなわち、編組み装置４００）は、形成される編組みパターン
の所望の種類に応じて、固定糸巻き枠軌道構成又は可変糸巻き枠軌道構成にて移動する糸
巻き枠と共に動作可能である。更に糸巻き枠の複数輪を含む装置（例えば編組み装置４０
０）上では、１つの輪は固定糸巻き枠軌道構成にて動作可能であり、一方で他の輪は可変
糸巻き枠軌道構成にて同時に動作される。これによって、異なる編組みパターンを有する
複数編組み層を同時に作成可能である。
【００７５】
図１３は編組み装置４００の実施形態の等角図である。これは、編組み装置４００の概
念的側部断面図を含む。図１３は、各異なる輪からの伸縮性の糸が、装置４００のいくつ
かの動作構成において、編組みアッパー組立て体の異なる層をどのように形成するかを示
す。図１３を参照すると、内輪４７０に沿って移動する糸巻き枠のセット７００は、内部
編組み構造７２０（すなわち、内層）を形成する際に使用されてよい。一方外輪４９０に
沿って移動する糸巻き枠のセット７１０は、外部編組み構造７１２（例えば外層）を形成
する際に使用されてよい。すなわち、糸巻き枠のセット７００からの伸縮性の糸７０４は
靴型７２０上に編組みされて、内部編組み構造７０２を形成する。また、糸巻き枠のセッ
ト７１０からの伸縮性の糸７１４は内部編組み構造７０２（及び靴型７２０）上に編組み
されて、外部編組み構造７１２を形成する。したがって、編組み装置４００の少なくとも
いくつかの動作構成では、装置の各輪は、編組みアッパー組立て体の対応層と１対１で対
応してよい。もちろん他の動作条件（下記のものを含む）では、いくつかの糸巻き枠は内
輪４７０と外輪４９０との間を通過してよい。この場合、各輪と、アッパー組立て体の形
成済み部分内に編組みされた層との間に、明確な１対１の対応はなくてよい。
【００７６】
図１４乃至１７は、実施形態による、編組み装置４００を用いてアッパー組立て体を形
成する処理における可能なステップを示す。図１４を参照すると、編組み装置４００は動
作し、糸巻き枠のセット８００が、外輪４９０に沿って固定糸巻き枠軌道構成８１０にて
移動する。類似的に、糸巻き枠の異なるセット８０２は、内輪４７０に沿って固定糸巻き
枠軌構成８１２にて移動する。２つの対応する編組み構造から結果として生じる部分が図
１４に示される。具体的には、外部編組み構造８２０は、形成される物品のつま先部８３
０に沿って非ジャカード編組みパターンを有した状態で形成される。類似的に内部編組み
構造８２２は、つま先部８３０に沿って非ジャカード編組みパターンを有した状態で形成
される。更に、靴型８５０が編組み装置４００の編組み点８６０を通過すると、つま先部
８３０が形成される。
【００７７】
図１５は、編組みアッパー組立て体の、次の形成段階を示す。靴型８５０が編組み装置
４００の編組み点８６０を通過されると、中足部８３２が形成される。これは、外部編組
み構造８２０と内部編組み構造８２２との両方の部分を含む。この場合、糸巻き枠のセッ
ト９００は外輪４９０に沿って可変糸巻き枠軌道構成９１０にて移動される。追加的に、
糸巻き枠の異なるセット９０２は、内輪４７０に沿って固定糸巻き枠軌構成９１２にて移
動される。２つの対応する編組み構造から結果として生じる部分が図１５に示される。具
体的には、外部編組み構造８２０は、中足部８３２に沿ってジャカード編組みパターンを
有した状態で形成される。類似的に内部編組み構造８２２は、中足部８３２に沿って非ジ
ャカード編組みパターンを有した状態で形成される。したがって、異なる種類の軌道（可
変又は固定）において外輪及び内輪に沿って糸巻き枠を移動することによって、靴型８５
０に対して編組みされる２つの編組み構造につき、異なる編組みパターンを同時に形成可
能である。
【００７８】
図１６は、編組みアッパー組立て体の、次の形成段階を示す。靴型８５０が編組み装置
４００の編組み点８６０を通過されると、かかと部８３４が形成される。これは、外部編
組み構造８２０と内部編組み構造８２２との両方の部分を含む。この場合、外輪４９０及
び内輪４７０に沿った糸巻き枠は、固定糸巻き枠軌道構成にて移動される（すなわち、外
輪４９０に沿った固定糸巻き枠軌道構成１００２と、内輪４７０に沿った可変糸巻き枠軌
道構成１００４）。これによって、かかと部８３４に対し、外部編組み構造８２０と内部
編組み構造８２２との両方にて非ジャカード編組みパターンを形成することができる。
【００７９】
図１７は、編組みアッパー組立て体を形成する処理における選択的ステップの実施形態
を示す。ここでは、２つの編組み構造を同一の位置にて取付けることが望ましい。図１７
を参照すると、外部編組み構造８２０と内部編組み構造８２２との伸縮性の糸を編み合わ
せるために（図１５及び１６参照）、１以上の糸巻き枠が外輪４９０と内輪４７０との間
を渡されてよい。例えば図１７では、１以上の糸巻き枠についての例示的な糸巻き枠軌道
１１００は、外輪４９０の一部を横切り、中間輪４８０を通過して内輪４７０へ進み、（
中間輪４８０を経由して）最終的に外輪４９０に戻るまで内輪４７０を横切り続ける。図
示の目的で、図１７は例示的な糸巻き枠１１０２の拡大図を含む。当該糸巻き枠１１０２
は、外輪４９０から内輪４７０への通過中に、中間輪４８０上に移送される。いくつかの
実施形態では、内輪４７０に沿った他の糸巻き枠は、中間輪４８０にその後移動され、糸
巻き枠１１０２のために内輪４７０内の空隙を作成してよい。この特定の糸巻き枠軌道に
よって、１以上の糸は、外部編組み構造８２０と内部編組み構造８２２との間で編み合わ
せ可能である。これによって、アッパー組立て体８２８の少なくともいくつかの部分に沿
って、２つの層を共に取付けることが支援される。
【００８０】
図１４乃至１６に示すように、糸巻き枠の単一の輪（例えば外輪４９０）は、単一の（
且つ連続的な）編組み構造（例えば外部編組み構造８２０）内でジャカード編組みパター
ンと非ジャカード編組みパターンとを形成するために使用可能である。どのように糸巻き
枠が移動可能かについての追加の詳細、及び、そのような単一のハイブリッド編組み構造
を達成するための他の動作的な詳細（これはジャカード及び非ジャカード、又は、レース
及び放射状パターンを有する）は、ハイブリッド編組み物品出願に開示される。
【００８１】
図１８は、編組みアッパー組立て体を有する履物物品８２９（これは少なくとも外部編
組み構造と内部編組み構造とを含む）の形成における追加の選択的ステップを示す。図１
８を参照すると、アッパー組立て体８２８が編組み装置４００及び靴型８５０から取り除
かれると、１以上の部分が切断されて、物品の口の近傍に開口を形成可能である。この場
合、外部編組み構造８２０の第１の部分が切断される。これは口領域のための開口を提供
し、また、足の甲に延在する開口を含む。更に内部編組み構造８２２の第２の部分１２０
２が切断される。これはアッパー組立て体８２８の内部空洞への入口を提供する。
【００８２】
いくつかの実施形態では、ソール構造は、履物物品の作成ステップ中に、アッパー組立
て体へ付加されてよい。図１８の例示的実施形態では、ソール構造１２５０は、アッパー
組立て体８２８の底部へ取付けられる。ソール構造１２５０は、当業者に既知の任意の方
法を用いて取付けられる。当該方法は、接着剤、スティッチング、留め具、ソール構造と
織物の構造（編まれたもの又は編まれていないもの）の下面との取付けのための他の方法
を含むが、これに限定されない。
【００８３】
いくつかの実施形態では、ソール構造１２５０は物品８２９に摩擦力を提供するよう構
成されてよい。例えばソール構造１２５０は１以上の摩擦要素（例えば溝、突起、又は他
の摩擦装置）を含んでよい。一実施形態では、ソール構造１２５０はソール構造１２５０
の下面（すなわち、アウトソール）に沿って、サイプを有する領域を含んでよい。当該サ
イプは、アウトソールの表面に亘って薄い切り口（スリット）を含んでよい。
【００８４】
摩擦力を提供することに加えて、ソール構造１２５０は、歩行中、ランニング中、押圧
中又は他の移動活動中、足と地面との間で圧縮されたときに、地面反力を減じてよい。ソ
ール構造１２５０の構成は、異なる実施形態にて大きく異なってよく、従来的又は非従来
的な様々な構造を含んでよい。いくつかの実施形態では、ソール構造１２５０の構成は、
ソール構造１２５０が使用される１以上のタイプの表面によって構成されてよい。表面の
例は、天然芝、合成芝、土、硬材床、上澄みの膜、木材、板、踏み板、ボートの進水路及
び他の表面を含むがこれに限定されない。
【００８５】
ソール構造１２５０はアッパー組立て体８２８に固定され、物品８２９が着用されたと
きに足と地面との間に延在する。異なる実施形態では、ソール構造１２５０は異なる構成
要素を含んでよい。例えばソール構造１２５０はアウトソール、ミッドソール及び／又は
インソールを含んでよい。いくつかの実施形態では、これらの構成要素の１以上は選択的
であってよい。
【００８６】
実施形態は、水平的な構成を有する編組み装置を用いた且つ移動靴型システムを用いた
編組みアッパー組立て体の製造を開示する。しかし、他の実施形態は垂直的な構成及び／
又は固定靴型システムを有する装置を含んでよい。特に、実施形態は、多数輪編組み装置
出願に開示される任意の方法と編組み装置構成とを使用可能である。例えば他の実施形態
では、移動靴型システムを有する垂直の編組み装置を用いて、編組みアッパー組立て体を
形成してよい。
【００８７】
図１９乃至２４は、編組みアッパー組立て体の様々な代替的実施形態である。これは、
編組み構造の少なくとも２つの層を組み入れる。
【００８８】
図１９はアッパー組立て体１３００の実施形態を示す。アッパー組立て体１３００は外
部編組み構造１３０２と内部編組み構造１３０４とを含んでよい。上記実施形態とは対照
的に、外部編組み構造１３０２と内部編組み構造１３０４とは、編み合わされた糸又は他
の取付け物によって互いに取付けられなくてよい。代わりに内部編組み構造１３０４は外
部編組み構造１３０２内で自在に位置してよい。このためいくつかの実施形態では、内部
編組み構造１３０４は外部編組み構造１３０２から、外部編組み構造１３０２の開口１３
１０を介して取り除かれてよい。図示の目的で、小空隙１３２０が外部編組み構造１３０
２と内部編組み構造１３０４との間に示され、これらの層が取付けられないことと、使用
中に相対的に移動可能であることとを示す。分離層を有する実施形態は、相互に交換可能
な内部編組み層の利用を支援してよいし、また、２つの編組み層の間のいくつかの位置に
様々な当て物（パッド）、クッション（緩衝材）又は類似の提供物を挿入すること（例え
ば外部編組み構造と内部編組み構造との間の足底にクッションを配置して緩衝効果を改善
すること）を可能にしてよい。
【００８９】
図２０は、外部編組み構造と内部編組み構造とにおいて、編組みパターンの様々な異な
る組合せを用いた代替例を示す。図２０の実施形態では、外部編組み構造１４００はジャ
カード編組みパターンを全体的に含んでよく、一方、内部編組み構造１４１０は非ジャカ
ード編組みパターンを全体的に含んでよい。この実施形態は、非常に装飾的な外層（すな
わち、レース編組み構造）を、より耐久的な内層（すなわち、非ジャカード層又は放射状
編組み層）と共に提供する。後者は、外層よりも一層の集中性を提供してよい。
【００９０】
図２１及び２２に示す他の実施形態では、外部編組み構造１５００は非ジャカード編組
みパターン１５０２を全体的に含んでよく、一方で内部編組み構造１５１０（図２２に明
示）はジャカード編組みパターンを全体的に含んでよい。
【００９１】
図２３に示す他の変形例では、内部編組み構造１６０２は多数の異なる編組みパターン
を含んでよい。これは、図１乃至３に示す実施形態の外部編組み構造において使用される
多数編組みパターンに類似する。具体的には内部編組み構造１６０２は、かかと部及び前
足部にて非ジャカード編組みパターン１６０４を含んでよく、また、中足部にてジャカー
ド編組みパターン１６０６を含んでよい。いくつかの実施形態では、外部編組み構造１６
００（仮想的に示す）は、編組みパターンの類似の組合せ（すなわち、これは図１乃至２
の外部編組み構造１２０に類似する）を含んでよい。外部編組み構造１６００と内部編組
み構造１６０２との組合せは、物品に対し、前足部とかかと部とにおける非常に大きい耐
久性、及び、中足部における高い柔軟性及び通気性を提供してよい。
【００９２】
図面における実施形態は、低い首を有する物品（例えばトップが低い（low-top）構成
）を示す。しかし、他の実施形態は、他の構成を有してよい。特に本開示の方法及びシス
テムは、様々な異なる物品構成（袖又は足首の位置が高い物品を含む）を作成するのに使
用されてよい。例えば他の実施形態では、本開示のシステム及び方法は、着用者の脚（す
なわち、足首より上）まで延在する袖を有する編組みアッパーを形成するために使用され
てよい。他の実施形態では、本開示のシステム及び方法は、ひざまで延在する袖を有する
編組みアッパーを形成するために使用されてよい。更に他の実施形態では、本開示のシス
テム及び方法は、ひざより上まで延在する袖を有する編組みアッパーを形成するために使
用されてよい。したがって、そのような提供物は、編組み構造を含むブーツの製造を可能
にする。いくつかの実施形態では、長い袖を有する物品は、長い袖部（又は脚部）を有す
る靴型を用いることによって（例えばブーツの靴型を用いることによって）編組み装置に
て形成可能である。その場合に靴型が編組み装置に対して移動されるとき、靴型の、概ね
円形で且つ狭い断面が編組み点にて常に提示されるように、当該靴型は回転可能である。
【００９３】
様々な実施形態が開示されるが、当該開示は、限定ではなく例示を意図したものである
。多くの更なる実施形態及び実装が実施形態の範囲内で可能であることは、当業者にとっ
て自明である。任意の実施形態の任意の特徴は、明示して制限されない限り、他の任意の
実施形態において、他の任意の特徴又は要素と組合せて又は置き換えて使用可能である。
したがって実施形態は、請求項とその同等物とに示される場合を除いて限定されない。ま
た、請求項の範囲内で、様々な修正及び変更がなされてよい。
【図１】
2020116409.tif 000003
【図２】
2020116409.tif 000004
【図３】
2020116409.tif 000005
【図４】
2020116409.tif 000006
【図５】
2020116409.tif 000007
【図６】
2020116409.tif 000008
【図７】
2020116409.tif 000009
【図８】
2020116409.tif 000010
【図９】
2020116409.tif 000011
【図１０】
2020116409.tif 000012
【図１１】
2020116409.tif 000013
【図１２】
2020116409.tif 000014
【図１３】
2020116409.tif 000015
【図１４】
2020116409.tif 000016
【図１５】
2020116409.tif 000017
【図１６】
2020116409.tif 000018
【図１７】
2020116409.tif 000019
【図１８】
2020116409.tif 000020
【図１９】
2020116409.tif 000021
【図２０】
2020116409.tif 000022
【図２１】
2020116409.tif 000023
【図２２】
2020116409.tif 000024
【図２３】
2020116409.tif 000025
【手続補正書】
【提出日】令和2年4月23日(2020.4.23)
【手続補正１】
【補正対象書類名】特許請求の範囲
【補正対象項目名】全文
【補正方法】変更
【補正の内容】
【特許請求の範囲】
【請求項１】
履物物品用のアッパー組立て体において、
３以上の伸縮性の糸を編み合わせることによって形成される外部編み構造と３以上の伸縮性の糸を編み合わせることによって形成される内部編み構造とを含み、
前記外部編み構造はレース編みパターンを有する第１の部分を含み、前記内部編み構造は非レース編みパターンを有する第２の部分を含み、
前記レース編みパターンは不均一な大きさの開口を有し、前記非レース編みパターンは均一な大きさの開口を有する、アッパー組立て体。
【請求項２】
請求項１に記載のアッパー組立て体において、前記外部編み構造は前足部、中足部及びかかと部を有する連続的な編み構造を含む、アッパー組立て体。
【請求項３】
請求項１に記載のアッパー組立て体において、前記内部編み構造は前足部、中足部及びかかと部を有する連続的な編み構造を含む、アッパー組立て体。
【請求項４】
請求項２に記載のアッパー組立て体において、前記前足部は非レース編みパターンを有する部分を含み、前記中足部はレース編みパターンを有する部分を含み、前記かかと部は前記非レース編みパターンを有する部分を含む、アッパー組立て体。
【請求項５】
請求項３に記載のアッパー組立て体において、前記前足部と前記中足部と前記かかと部との全ては、非レース編みパターンを有する部分を含む、アッパー組立て体。
【請求項６】
請求項１に記載のアッパー組立て体において、前記レース編みパターンの密度は、前記外部編み構造の少なくとも１つの方向に沿って変化する、アッパー組立て体。
【請求項７】
請求項１に記載のアッパー組立て体において、前記非レース編みパターンの密度は、前記外部編み構造の各方向に沿って実質的に一定である、アッパー組立て体。
【請求項８】
請求項１に記載のアッパー組立て体において、前記外部編み構造の第１の伸縮性の糸は、前記内部編み構造の第２の伸縮性の糸と編み合わされる、アッパー組立て体。
【請求項９】
履物物品において、
３以上の伸縮性の糸を編み合わせることによって形成される外部編み構造と３以上の伸縮性の糸を編み合わせることによって形成される内部編み構造とを含むアッパー組立て体と、
ソール構造と
を含み、
前記外部編み構造は第１の開口を含み、前記内部編み構造は第２の開口を含み、前記内部編み構造の襟部は前記外部編み構造の前記第１の開口を通って延在し、前記内部編み構造の前記第２の開口は、足を受けるように構成され、前記外部編み構造はレース編みパターンを有する第１の部分を含み、前記ソール構造は前記外部編み構造に対して設けられ、
前記第１の開口は不均一な大きさの開口を有し、前記第２の開口は均一な大きさの開口を有する、履物物品。
【請求項１０】
請求項９に記載の履物物品において、前記内部編み構造は非レース編みパターンを有する第２の部分を含む、履物物品。
【請求項１１】
請求項１０に記載の履物物品において、前記第１の部分は前記第２の部分と接触する、履物物品。
【請求項１２】
請求項９に記載の履物物品において、前記外部編み構造は非レース編みパターンを有する第２の部分を含む、履物物品。
【請求項１３】
請求項９に記載の履物物品において、前記外部編み構造は前記アッパー組立て体のかかと部にて非レース編みパターンを有し、前記内部編み構造は前記アッパー組立て体の前記かかと部にて前記非レース編みパターンを有する、履物物品。
【請求項１４】
請求項９に記載の履物物品において、前記外部編み構造は前記アッパー組立て体の中足部にて前記レース編みパターンを有し、前記内部編み構造は前記アッパー組立て体の前記中足部にて前記レース編みパターンを有する、履物物品。
【請求項１５】
請求項９に記載の履物物品において、前記外部編み構造は前記アッパー組立て体のかかと部にて非レース編みパターンを有し、前記内部編み構造は前記アッパー組立て体の前記かかと部にて前記非レース編みパターンを有する、履物物品。
【請求項１６】
履物物品用のアッパー組立て体の作成方法において、
靴型と編み装置の編み点とを互いに相対的に移動させて３以上の伸縮性の糸を編み合わせるステップであって、前記編み装置は糸巻き枠の第１の輪と糸巻き枠の第２の輪とを少なくとも含み、糸巻き枠の前記第２の輪は前記編み装置の表面上で、前記第１の輪内に同心円状に設けられる、ステップと、
１以上の糸巻き枠を糸巻き枠の前記第２の輪に沿って移動させて、内部編み構造を前記靴型の外面の周りに形成するステップと、
１以上の糸巻き枠を糸巻き枠の前記第１の輪に沿って移動させて、外部編み構造を前記内部編み構造の周りに形成するステップと、
均一な大きさの開口を有する前記内部編み構造と不均一な大きさの開口を有する前記外部編み構造とを含む前記アッパー組立て体を形成するステップと、
を含む方法。
【請求項１７】
請求項１６に記載の方法において、前記外部編み構造及び前記内部編み構造は同時に形成される、方法。
【請求項１８】
請求項１６に記載の方法において、前記外部編み構造内にレース編みパターンを有する部分を形成するステップを更に含む方法。
【請求項１９】
請求項１６に記載の方法において、前記内部編み構造内に非レース編みパターンを有する部分を形成するステップを更に含む方法。
【請求項２０】
請求項１６に記載の方法において、レース編みパターンと非レース編みパターンとを同時に形成するステップを更に含む方法。
【請求項２１】
請求項１６に記載の方法において、
前記外部編み構造のつま先部に非レース編みパターンを形成するステップと、
前記外部編み構造の中足部にレース編みパターンを形成するステップと、
前記外部編み構造のかかと部に非レース編みパターンを形成するステップと、
を更に含む方法。
【請求項２２】
請求項１６に記載の方法において、前記内部編み構造のつま先部から前記内部編み構造のかかと部まで延在する連続的な非レース編みパターンを有する前記内部編み構造を形成するステップを更に含む方法。
【請求項２３】
請求項１６に記載の方法において、糸巻き枠の前記第１の輪における糸巻き枠は、複数の金属回転子を用いて移動される、方法。
【請求項２４】
請求項２３に記載の方法において、１以上の糸巻き枠は、糸巻き枠の前記第１の輪から糸巻き枠の前記第２の輪まで通過可能であり、前記１以上の糸巻き枠を通過させることは、角ギヤの中間輪を用いて、糸巻き枠の前記第１の輪と糸巻き枠の前記第２の輪との間で前記１以上の糸巻き枠を移送することを含む、方法。

【外国語明細書】
2020116409000001.pdf